(57)【特許請求の範囲】
【請求項１】
遮断器ケースの前側に電源側端子が、後側に負荷側端子が夫々設けられているとともに、前記電源側端子と前記負荷側端子との間に配設された電路上に、固定接点及び可動接点からなる接点部が設けられ、さらに前記接点部が配置される消弧室に消弧装置が設置されており、前記電路に異常電流が流れると前記接点部を開操作して電路を遮断する直流遮断器であって、
前記固定接点は金属板状の固定接点部の表面に設けられている一方、
前記消弧装置は、前記接点部を左右から挟むように取り付けられる一対の消弧板と、前記消弧板間に積層される複数のグリッドと、前記固定接点の左右両側に取り付けられる一組の永久磁石とを有し、
さらに、開口を介して収納された前記永久磁石を保持する磁石保持部、及び前記固定接点部を差し込み可能な接点保持部を一体的に備えた保持部材と、前記開口を覆うように前記保持部材に組み付け可能な継鉄とを設けるとともに、前記消弧板に係止部を、前記継鉄に前記係止部が係止可能な被係止部を夫々設けたことを特徴とする直流遮断器。
【請求項２】
前記保持部材に、前記係止部若しくは前記被係止部が係合する被係合部を設けたことを特徴とする請求項１に記載の直流遮断器。
【発明の詳細な説明】
【技術分野】
【０００１】
本発明は、たとえば過電流等の電路異常が発生すると電路を遮断する直流遮断器に関し、特に遮断動作する接点部を配置した消弧室に消弧装置を設けた直流遮断器に関するものである。
【背景技術】
【０００２】
従来より直流遮断器では、電路に過電流等の異常電流が流れると電路を遮断するようになっているが、この遮断時に接点間にアーク放電が発生する。このアーク放電は周囲に悪影響を及ぼすため、遮断動作する接点部を消弧室で囲むとともに消弧室内に消弧装置を設けることで、アーク放電を短時間で消弧するように構成している。
【０００３】
そして、上記消弧装置としては、消弧板に複数のグリッドを重ねて取り付けたものや、接点部の近傍に磁石を配置したものが広く採用されている。たとえば特許文献１に記載の発明では、その両方の構成を採用しており、接点部の前方において上下方向へ重なるように配設された複数のグリッドと、固定接点を左右両側から挟むようにＵ字状に折り曲げられた磁石とを備えた消弧装置を設置している。そして、発生するアークをグリッド側へ引っ張り、グリッドに接触させることにより、速やかな消弧を可能としている。
【先行技術文献】
【特許文献】
【０００４】
【特許文献１】特開２００５−２１６８０７号公報
【発明の概要】
【発明が解決しようとする課題】
【０００５】
しかしながら、上記特許文献１に記載の発明では、固定接点に対する磁石の位置決め作業や取付作業が煩わしいという問題がある。
【０００６】
そこで、本発明は、上記問題に鑑みなされたものであって、磁石の位置決め作業が容易である上、取付後に磁石がずれたり脱落したりしにくい直流遮断器を提供しようとするものである。
【課題を解決するための手段】
【０００７】
上記目的を達成するために、本発明のうち請求項１に記載の発明は、遮断器ケースの前側に電源側端子が、後側に負荷側端子が夫々設けられているとともに、前記電源側端子と前記負荷側端子との間に配設された電路上に、固定接点及び可動接点からなる接点部が設けられ、さらに前記接点部が配置される消弧室に消弧装置が設置されており、前記電路に異常電流が流れると前記接点部を開操作して電路を遮断する直流遮断器であって、前記固定接点は金属板状の固定接点部の表面に設けられている一方、前記消弧装置は、前記接点部を左右から挟むように取り付けられる一対の消弧板と、前記消弧板間に積層される複数のグリッドと、前記固定接点の左右両側に取り付けられる一組の永久磁石とを有し、さらに、開口を介して収納された前記永久磁石を保持する磁石保持部、及び前記固定接点部を差し込み可能な接点保持部を一体的に備えた保持部材と、前記開口を覆うように前記保持部材に組み付け可能な継鉄とを設けるとともに、前記消弧板に係止部を、前記継鉄に前記係止部が係止可能な被係止部を夫々設けたことを特徴とする。
請求項２に記載の発明は、前記保持部材に、前記係止部若しくは前記被係止部が係合する被係合部を設けたことを特徴とする。
【発明の効果】
【０００８】
本発明によれば、開口を介して収納された永久磁石を保持する磁石保持部、及び固定接点部を差し込み可能な接点保持部を一体的に備えた保持部材と、開口を覆うように保持部材に組み付け可能な継鉄とを設けるとともに、消弧板に係止部を、継鉄に係止部が係止可能な被係止部を夫々設けている。したがって、磁石保持部に永久磁石を、接点保持部に固定接点部を夫々保持させるとともに、グリッドが取り付けられた消弧板を継鉄に係止させることにより、消弧板、グリッド、永久磁石、固定接点、保持部材、及び継鉄が位置決めされることになる。したがって、速やかな消弧に必要な構成要素を容易且つ確実に好適な位置関係で配置させることができ、消弧作用の向上を図ることができる。また、継鉄の保持部材への組み付けに伴い、磁石保持部の開口が覆われるため、永久磁石の磁石保持部からの脱落を防止することができ、永久磁石の取付作業の一層の容易化を図ることができる。
また、請求項２に記載の発明によれば、保持部材に、係止部若しくは被係止部が係合する被係合部を設けているため、係止状態にある消弧板や継鉄が保持部材に対して位置ずれしにくく、消弧作用の確実性及び安定性の更なる向上を図ることができる。
【図面の簡単な説明】
【０００９】
【図１】直流遮断器を上面側から示した説明図である。
【図２】図１中のＡ−Ａ線断面を示した説明図である。
【図３】組み付け状態にある消弧装置及び第１固定金具を示した説明図であって、（ａ）は上方から、（ｂ）は側方から、（ｃ）は後方から夫々示している。
【図４】分解状態にある消弧装置と第１固定金具とを後方から示した斜視説明図である。
【図５】組み付け状態にある消弧装置、第１固定接点、及び第１可動接点の位置関係を示した断面説明図である。
【図６】永久磁石によりアークが引っ張られる様子を示した説明図である。
【発明を実施するための形態】
【００１０】
以下、本発明の一実施形態となる直流遮断器について、図面にもとづき詳細に説明する。
【００１１】
図１は、直流遮断器１を上方から示した説明図である。図２は、図１中のＡ−Ａ線断面を示した説明図である。
【００１２】
直流遮断器１は、合成樹脂製の遮断器ケース２の前部に電源側端子３を、後部に負荷側端子４を夫々備えてなるものであって、遮断器ケース２内には電源側端子３と負荷側端子４とを電気的に接続すべく、前後方向へ延びる２つの電路が左右に並べて配設されている。そして、各電路は、後端に第１固定接点５を有し、電源側端子３側へと延びて前側電路を構成する第１固定金具６と、前端に第２固定接点７を有し、負荷側端子４側へと延びて後側電路を構成する第２固定金具８と、前端に第１可動接点９を、後端に第２可動接点１０を夫々有し、左右方向を軸とした回転動作によって両可動接点９、１０を両固定接点５、７に対して接触／離隔させることにより、前側電路と後側電路とを電気的に接続／遮断させる可動接点部材１１とを備えている。また、各電路毎に、可動接点部材１１を両可動接点９、１０が両固定接点５、７に対して離隔する方向へ回転動作させるための従来周知の遮断機構部（図示せず）、電路に短絡電流等の過電流が流れると遮断機構部を動作させるべく作動する電磁引き外し装置１２、及び電磁引き外し装置１２の作動をうけて遮断機構部を直接動作させる操作部材（図示せず）等も設けられている。さらに、各電路には、固定接点５、７と可動接点９、１０とからなる接点部を囲むように消弧室２２、２２が形成されているとともに、各消弧室２２内には、遮断動作をうけて両可動接点９、１０が両固定接点５、７から離隔した際に生じるアークを速やかに消弧するための消弧装置２１が設置されている。なお、１３は、電路をオン／オフ操作するための操作レバーである。
【００１３】
ここで、本発明の要部となる消弧装置２１について、図３〜図６にもとづき詳細に説明する。
図３は、組み付け状態にある消弧装置２１及び第１固定金具６を示した説明図であって、（ａ）は上方から、（ｂ）は側方から、（ｃ）は後方から夫々示している。図４は、分解状態にある消弧装置２１と第１固定金具６とを後方から示した斜視説明図である。図５は、組み付け状態にある消弧装置２１、第１固定接点５、及び第１可動接点９の位置関係を示した断面説明図である。図６は、永久磁石２５によりアークが引っ張られる様子を示した説明図である。なお、図３（ａ）では、グリッド２４を省略しており、図５及び図６では、保持部材２６を省略している。
【００１４】
消弧装置２１は、接点部を左右から挟むように取り付けられる一対の消弧板２３、２３と、消弧板２３、２３間に上下方向へ重なるように架設される複数のグリッド２４、２４・・と、第１固定接点５の左右両側に所定の向きで取り付けられる一組の永久磁石２５、２５と、永久磁石２５、２５を保持する保持部材２６と、永久磁石２５、２５の集磁作用を向上させるための継鉄３８とを備えてなる。
【００１５】
消弧板２３は、絶縁性及び耐アーク性に優れた合成樹脂（たとえば充填剤としてガラス繊維が約３０％添加された６ナイロン等）により成形された板状体であって、消弧室２２の左壁面や右壁面を覆うように配置される。また、消弧板２３の下辺には、保持部材２６の磁石保持部２９を嵌入可能な前後方向へ所定の幅を有する切り欠き２７が設けられている。さらに、消弧板２３の下辺で切り欠き２７の上辺部となる位置には、下方へ突出する舌片３０が設けられている。
【００１６】
各グリッド２４は、平行に延びる一対の脚部と、脚部の一端同士を繋ぐ連結部とを有する上面視略Ｕ字状に成形された金属板である。そして、グリッド２４、２４・・は、連結部が前方を向くような姿勢で消弧板２３、２３間を上下方向へ所定の間隔毎に複数枚積層された状態となっている。なお、各グリッド２４は、グリッド２４の左右両側部に夫々外方へ突設された係合片２４ａ、２４ａを、各消弧板２３に開設された係合孔（図示せず）へ差し込むことによってグリッド２３、２３間に架設される。
【００１７】
保持部材２６は、消弧板２３同様、絶縁性及び耐アーク性に優れた合成樹脂により成形されたものであって、第１固定金具６の固定接点部１７を保持する接点保持部２８と、接点保持部２８から上方へ立設される一対の磁石保持部２９、２９とを備えてなる。接点保持部２８は、方形状のブロック体の上面に上方と前方とに開口する凹部２８ａを設けてなるもので、該凹部２８ａは第１固定金具６の固定接点部１７の上下方向での厚みと略同じ上下方向深さを有しており、凹部２８ａ内へ固定接点部１７を差し込み可能となっている。また、凹部２８ａよりも後側における接点保持部２８の上面部２８ｂは、固定接点部１７を差し込んだ際に固定接点部１７の後端面が当接するストッパとして機能するとともに、保持部材２６と消弧板２３とを組み付けた際に消弧板２３の下辺部が当接するストッパとしても機能する。一方、各磁石保持部２９は、夫々左右外側に開口する箱状に形成され、その開口から内部へ収納される永久磁石２５を保持可能となっている。また、磁石保持部２９の前後方向での長さは、消弧板２３の下辺部に設けられた切り欠き２７の前後方向長さと同じになっている。さらに、磁石保持部２９の左右方向での内側部は、凹部２８ａ上へ突出しており、その下面が凹部２８ａへ差し込まれた固定接点部１７の上面に当接しするようになっており、固定接点部１７を保持する機構としても作用するようになっている。加えて、各磁石保持部２９の上面における左右方向での外縁部には、消弧板２３を組み付ける際に、舌片３０が係合する切り欠き状の被係合部３１が設けられている。
【００１８】
継鉄３８は、帯状の金属板を折り曲げ成形してなるものであって、左右方向へ延びる平板部３８ａと、平板部３８ａの両端部から上方へ対向状に折り曲げられた一対の立板部３８ｂ、３８ｂとを有する。また、各立板部３８ｂの上端部には、前後方向へ長いスリット３９が設けられているとともに、スリット３９の上側部が左右方向で外側へ折り曲げられており、消弧板２３を組み付ける際に、舌片３０が係止可能な被係止部４０が設けられている。そして、当該継鉄３８を保持部材２６に組み付けると、平板部３８ａが保持部材２６（特に接点保持部２８）の底面を覆う一方、各立板部３８ｂが、被係合部３１の下方に被係止部４０が位置した状態で磁石保持部２９の開口を覆うようになっている。
【００１９】
なお、第１固定金具６についても説明すると、第１固定金具６は、後方へ略水平に延びる板状の固定接点部１７を有している。そして、該固定接点部１７の先端（後端）上面には、第１固定接点５が設けられている。また、固定接点部１７における第１固定接点５の前側には、発生したアークの伸張を助長するためのアーク走行部１８が切り起こし状に設けられている。
【００２０】
上記構成要素からなる消弧装置２１と第１固定金具６とは、以下のようにして組み立てられる。
まず、グリッド２４、２４・・を消弧板２３、２３間に架設し、グリッド２４、２４・・と消弧板２３、２３とを一体化する。一方、第１固定接点５を上方へ向けた姿勢で第１固定金具６の固定接点部１７を接点保持部２８の凹部２８ａ内へ差し込み、第１固定金具６と保持部材２６とを一体化する。次に、各磁石保持部２９に永久磁石２５を保持させた後、磁石保持部２９、２９の開口を覆うように継鉄３８を組み付ける。永久磁石２５、２５を保持させるにあたっては、電流の流れる方向を参酌し、一方の永久磁石２５はＮ極が、他方の永久磁石２５はＳ極が夫々左右方向で内側を向くような姿勢とする。たとえば図６（ａ）に示すように、紙面の裏から表へ向かって（第１固定接点５から第１可動接点９へ向かって）電流が流れるのであれば、磁界の向きが左から右となるように永久磁石２５、２５を配置する。すると、両接点間に発生したアークに対し前側へ力がかかることになり、図６（ｂ）に示すように、アークは前側、すなわちアーク走行部１８及びグリッド２４、２４・・側へ伸張することになる。最後に、グリッド２４、２４・・と一体化された消弧板２３、２３の切り欠き２７、２７内に保持部材２６の磁石保持部２９、２９を嵌め込み、被係合部３１、３１に係合させつつ舌片３０、３０を被係止部４０、４０に差し込み、消弧板２３、２３を継鉄３８に係止させる。すると、消弧板２３、２３、グリッド２４、２４・・、永久磁石２５、２５、継鉄３８、及び固定接点部１７が後述の如き位置に位置決めされた状態で、消弧装置２１及び第１固定金具６が組み立てられる。
【００２１】
そして、組み立てられた消弧装置２１及び第１固定金具６では、永久磁石２５、２５が、第１固定接点５の後端からアーク走行部１８の中程（すなわち、アーク走行部１８の前端を越えない位置）にわたって側面視で重なるように位置している。また、図５に示すように、全てのグリッド２４、２４・・の脚部が永久磁石２５、２５の前端よりも後側まで突出するとともに、全てのグリッド２４、２４・・の連結部の前端が永久磁石２５、２５の前端よりも前側に位置した状態となっている。つまり、第１固定接点５と、永久磁石２５、２５と、グリッド２４、２４・・とが好適な位置に位置決めされた状態となる。したがって、後は消弧装置２１及び第１固定金具６を、消弧装置２１が消弧室２２内に位置するように設置するとともに、第１可動接点９がグリッド２４、２４・・の脚部間を移動しながら第１固定接点５に接触／離隔するように可動接点部材１１を設置すれば、直流遮断器１における接点部及び消弧装置２１の設置は完了となる。なお、第２固定接点７及び第２可動接点１０側の消弧装置としては、上記消弧装置２１を上下及び前後逆さにしたものを使用すればよい。
【００２２】
以上のような構成を有する直流遮断器１によれば、開口を介して収納された永久磁石２５、２５を保持する磁石保持部２９、２９、及び差し込まれた固定接点部１７を保持可能な接点保持部２８を一体的に備えた保持部材２６と、開口を覆うように保持部材２６に組み付け可能な継鉄３８とを設けるとともに、消弧板２３に舌片３０を、継鉄３８に舌片３０が係止可能な被係止部４０を夫々設けている。したがって、消弧板２３、２３、グリッド２４、２４・・、永久磁石２５、２５、第１固定接点５（ひいては接点部）、保持部材２６、及び継鉄３８を容易且つ確実に好適な位置関係で配置させることができ、消弧作用の向上を図ることができる。
また、継鉄３８の保持部材２６への組み付けに伴い、磁石保持部２９、２９の開口が覆われるため、永久磁石２５の磁石保持部２９からの脱落を防止することができ、永久磁石２５、２５の取付作業の一層の容易化を図ることができる。
【００２３】
さらに、保持部材２６に、消弧板２３の舌片３０が係合する被係合部３１を設けているため、係止状態にある消弧板２３、２３や継鉄３８が保持部材２６に対して位置ずれしにくく、消弧作用の確実性及び安定性の更なる向上を図ることができる。。
加えて、永久磁石２５、２５が、第１固定接点５の後端からアーク走行部１８の中程にわたって側面視で重なるように位置している一方、全てのグリッド２４、２４・・の脚部が永久磁石２５、２５の前端よりも後側まで突出するとともに、全てのグリッド２４、２４・・の連結部の前端が永久磁石２５、２５の前端よりも前側に位置した状態となっている。したがって、消弧作用に極めて優れた直流遮断器１とすることができる。
【００２４】
なお、本発明に係る直流遮断器は、上記実施形態の態様に何ら限定されるものではなく、直流遮断器の全体的な構成は勿論、消弧装置等の構成についても、本発明の趣旨を逸脱しない範囲で、必要に応じて適宜変更することができる。
【００２５】
たとえば、上記実施形態では、１つの電路に固定接点と可動接点とを夫々２つずつ設けているが、本発明に係る消弧装置は、１つの電路に固定接点と可動接点とが夫々１つずつしか設けられていないタイプの直流遮断器に対しても好適に採用することができる。
また、上記実施形態では、消弧板に舌片を、継鉄に被係止部を夫々設けているが、継鉄に上方へ突出する突片を、消弧板に突片が係止可能な係止部を夫々設けてもよい。さらに、継鉄の両端部を、保持部材を越えて消弧板の左右外側に位置するまで延設する等、継鉄の形状についても設計変更可能であり、そのような場合、消弧板の表面に突起を、継鉄に突起が嵌入可能な孔を夫々設けて、突起及び孔により消弧板と継鉄とを係止させるように構成してもよい。すなわち、消弧板と継鉄との係止構造をどうするか、そしてその位置については適宜設計変更可能である。
加えて、消弧板、グリッド、永久磁石、アーク走行部、接点部、及び継鉄の位置決めについて、上記実施形態の位置は好適な位置の一例にすぎず、各要素をどのような位置に配置させるかについても設計変更可能である。
【符号の説明】
【００２６】
１・・直流遮断器、２・・遮断器ケース、３・・電源側端子、４・・負荷側端子、５・・第１固定接点（固定接点、接点部）、６・・第１固定金具、９・・第１可動接点（可動接点、接点部）、１１・・可動接点部材、１７・・固定接点部、１８・・アーク走行部、２１・・消弧装置、２２・・消弧室、２３・・消弧板、２４・・グリッド、２５・・永久磁石、２６・・保持部材、２７・・切り欠き、２８・・接点保持部、２９・・磁石保持部、３０・・舌片（係止部）、３１・・被係合部、３８・・継鉄、３９・・スリット、４０・・被係止部。
【図１】
0006419515.tif 000002
【図２】
0006419515.tif 000003
【図３】
0006419515.tif 000004
【図４】
0006419515.tif 000005
【図５】
0006419515.tif 000006
【図６】
0006419515.tif 000007